(57)【要約】本開示の特定の態様は、通信システムに関し、より具体的には、アップリンク伝送電力制御技法に関する。動作は、物理アップリンク共有チャネル（ＰＵＳＣＨ）送信のための伝送電力を決定するために少なくとも第１および第２のパラメータを取得することから開始する。第１のパラメータは、ダウンリンク基準信号のインジケーションを提供し得、第２のパラメータは、電力制御プロセスのインジケーション（例えば、パラメータｌ）を提供し得る。ＵＥは、少なくとも第３のパラメータを、この第３のパラメータと少なくとも２つのパラメータとの関係に基づいて、取得する。第３のパラメータは、伝送電力を算出するために使用されるパラメータ値の組合せを取得するために使用される開ループ電力制御インデックス（例えば、パラメータｊ）であり得る。ＵＥは、第１、第２、および第３のパラメータに基づいて算出された伝送電力でＰＵＳＣＨを送信する。【選択図】  図１０
2021511742.tif 000002
【特許請求の範囲】
【請求項１】
ユーザ機器（ＵＥ）によるワイヤレス通信のための方法であって、
物理アップリンク共有チャネル（ＰＵＳＣＨ）送信のための伝送電力を決定するために少なくとも第１および第２のパラメータを取得することと、
少なくとも第３のパラメータを、前記第３のパラメータと前記少なくとも２つのパラメータとの関係に基づいて、取得することと、
前記第１、第２、および第３のパラメータに基づいて算出された伝送電力で前記ＰＵＳＣＨを送信することと
を備える方法。
【請求項２】
前記第１のパラメータは、ダウンリンク基準信号のインジケーションを備え、
前記第２のパラメータは、電力制御プロセスのインジケーションを備える、
請求項１に記載の方法。
【請求項３】
前記第３のパラメータは、前記伝送電力を算出するために使用されるパラメータ値の組合せを取得するために使用される開ループ電力制御インデックスを備える、請求項１に記載の方法。
【請求項４】
前記第１のパラメータは、サウンディング基準信号（ＳＲＳ）リソースインジケータ（ＳＲＩ）値を備え、
前記第２のパラメータは、ダウンリンク基準信号インデックス値を備える、
請求項３に記載の方法。
【請求項５】
前記ＳＲＩ値に基づいて前記ダウンリンク基準信号インデックスの値を導出すること
をさらに備える、請求項４に記載の方法。
【請求項６】
前記ＳＲＩ値は、前記ＰＵＳＣＨ送信をスケジューリングするダウンリンク制御情報（ＤＣＩ）送信を介して取得される、
請求項５に記載の方法。
【請求項７】
ダウンリンク基準信号インデックス値へのＳＲＩ値のマッピング、または
開ループ電力制御インデックス値へのダウンリンク基準信号インデックス値またはＳＲＩ値のマッピング
のうちの少なくとも１つを示すシグナリングを受信することをさらに備える、請求項５に記載の方法。
【請求項８】
前記シグナリングは、無線リソース制御（ＲＲＣ）シグナリングを備える、請求項７に記載の方法。
【請求項９】
ワイヤレス通信のための装置であって
物理アップリンク共有チャネル（ＰＵＳＣＨ）送信のための伝送電力を決定するために少なくとも第１および第２のパラメータを取得するための手段と、
少なくとも第３のパラメータを、前記第３のパラメータと前記少なくとも２つのパラメータとの関係に基づいて、取得するための手段と、
前記第１、第２、および第３のパラメータに基づいて算出された伝送電力で前記ＰＵＳＣＨを送信するための手段と
を備える装置。
【請求項１０】
前記第１のパラメータは、ダウンリンク基準信号のインジケーションを備え、
前記第２のパラメータは、電力制御プロセスのインジケーションを備える、
請求項９に記載の装置。
【請求項１１】
前記第３のパラメータは、前記伝送電力を算出するために使用されるパラメータ値の組合せを取得するために使用される開ループ電力制御インデックスを備える、請求項９に記載の装置。
【請求項１２】
前記第１のパラメータは、サウンディング基準信号（ＳＲＳ）リソースインジケータ（ＳＲＩ）値を備え、
前記第２のパラメータは、ダウンリンク基準信号インデックス値を備える、
請求項１１に記載の装置。
【請求項１３】
前記ＳＲＩ値に基づいて前記ダウンリンク基準信号インデックスの値を導出するための手段
をさらに備える、請求項１２に記載の装置。
【請求項１４】
前記ＳＲＩ値は、前記ＰＵＳＣＨ送信をスケジューリングするダウンリンク制御情報（ＤＣＩ）送信を介して取得される、
請求項１３に記載の装置。
【請求項１５】
ダウンリンク基準信号インデックス値へのＳＲＩ値のマッピング、または
開ループ電力制御インデックス値へのダウンリンク基準信号インデックス値またはＳＲＩ値のマッピング
のうちの少なくとも１つを示すシグナリングを受信するための手段をさらに備える、請求項１３に記載の装置。
【請求項１６】
前記シグナリングは、無線リソース制御（ＲＲＣ）シグナリングを備える、請求項１５に記載の装置。
【請求項１７】
ワイヤレス通信のための装置であって、
伝送電力または物理アップリンク共有チャネル（ＰＵＳＣＨ）送信を決定するために少なくとも第１および第２のパラメータを取得するように、および、少なくとも第３のパラメータを、前記第３のパラメータと前記少なくとも２つのパラメータとの関係に基づいて、取得するように構成された少なくとも１つのプロセッサと、
前記第１、第２、および第３のパラメータに基づいて算出された伝送電力で前記ＰＵＳＣＨを送信するように構成された送信機と
を備える装置。
【請求項１８】
前記第１のパラメータは、ダウンリンク基準信号のインジケーションを備え、
前記第２のパラメータは、電力制御プロセスのインジケーションを備える、
請求項１７に記載の装置。
【請求項１９】
前記第３のパラメータは、前記伝送電力を算出するために使用されるパラメータ値の組合せを取得するために使用される開ループ電力制御インデックスを備える、請求項１７に記載の装置。
【請求項２０】
前記第１のパラメータは、サウンディング基準信号（ＳＲＳ）リソースインジケータ（ＳＲＩ）値を備え、
前記第２のパラメータは、ダウンリンク基準信号インデックス値を備える、
請求項１９に記載の装置。
【請求項２１】
前記少なくとも１つのプロセッサは、
前記ＳＲＩ値に基づいて前記ダウンリンク基準信号インデックスの値を導出する
ようにさらに構成される、請求項２０に記載の装置。
【請求項２２】
前記ＳＲＩ値は、前記ＰＵＳＣＨ送信をスケジューリングするダウンリンク制御情報（ＤＣＩ）送信を介して取得される、
請求項２１に記載の装置。
【請求項２３】
ダウンリンク基準信号インデックス値へのＳＲＩ値のマッピング、または
開ループ電力制御インデックス値へのダウンリンク基準信号インデックス値またはＳＲＩ値のマッピング
のうちの少なくとも１つを示すシグナリングを受信するように構成された受信機をさらに備える、請求項２１に記載の装置。
【請求項２４】
前記シグナリングは、無線リソース制御（ＲＲＣ）シグナリングを備える、請求項２３に記載の装置。
【請求項２５】
コンピュータ読取可能な媒体であって、
物理アップリンク共有チャネル（ＰＵＳＣＨ）送信のための伝送電力を決定するために少なくとも第１および第２のパラメータを取得することと、
少なくとも第３のパラメータを、前記第３のパラメータと前記少なくとも２つのパラメータとの関係に基づいて、取得することと、
前記第１、第２、および第３のパラメータに基づいて算出された伝送電力で前記ＰＵＳＣＨを送信することと
を行うための命令が記憶されている、コンピュータ読取可能な媒体。
【発明の詳細な説明】
【米国特許法１１９条に基づく優先権の主張】
【０００１】
[0001]本願は、２０１８年１月２３日に出願された米国仮特許出願番号第６２／６２１，０３０号の利益を主張する、２０１９年１月１８日に出願された米国特許出願番号第１６／２５２，１７７号に対して、優先権を主張し、それらは両方とも、参照により全体が本明細書に組み込まれる。
【技術分野】
【０００２】
[0002]本開示は一般に、ワイヤレス通信システムに関し、より具体的には、アップリンク電力制御プロシージャに関する。
【背景技術】
【０００３】
[0003]ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（例えば、帯域幅、伝送電力）を共有することによって複数のユーザとの通信をサポートすることが可能な多元接続技術を用い得る。このような多元接続技術の例には、ロングタームエボリューション（ＬＴＥ（登録商標））システム、ＬＴＥアドバンスド（ＬＴＥ−Ａ）システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
[0004]いくつかの例では、ワイヤレス多元接続通信システムは、いくつかの基地局を含み得、それらの各々は、別名ユーザ機器（ＵＥ）として知られる複数の通信デバイスのための通信を同時にサポートする。ＬＴＥまたはＬＴＥ−Ａネットワークでは、１つまたは複数の基地局のセットが、発展型ノードＢ（ｅＮＢ）を定義し得る。他の例では（例えば、次世代または５Ｇネットワークでは）、ワイヤレス多元接続通信システムは、いくつかの中央ユニット（ＣＵ）（例えば、中央ノード（ＣＮ）、アクセスノードコントローラ（ＡＮＣ）、等）と通信状態にあるいくつかの分散ユニット（ＤＵ）（例えば、エッジユニット（ＥＵ）、エッジノード（ＥＮ）、無線ヘッド（ＲＨ）、スマート無線ヘッド（ＳＲＨ）、送受信ポイント（ＴＲＰ）、等）を含み得、ここで、中央ユニットと通信状態にある１つまたは複数の分散ユニットのセットは、アクセスノード（例えば、新無線基地局（ＮＲ ＢＳ）、新無線ＢＳ（ＮＲ ＮＢ）、ネットワークノード、５Ｇ ＮＢ、ｅＮＢ、次世代ＮＢ（ｇＮＢ）、等）を定義し得る。ＢＳまたはＤＵは、（例えば、ＢＳからのまたはＵＥへの送信のために）ダウンリンクチャネル上で、および（例えば、ＵＥからＢＳまたはＤＵへの送信のために）アップリンク上でＵＥのセットと通信し得る。
【０００５】
[0005]これらの多元接続技術は、異なるワイヤレスデバイスが、都市、国家、地域、さらには地球規模で通信することを可能にする共通プロトコルを提供するために、様々な電気通信規格に採用されている。新興の電気通信規格の例は、新無線（ＮＲ）、例えば、５Ｇ無線アクセスである。ＮＲは、第３世代パートナーシッププロジェクト（３ＧＰＰ（登録商標））によって公表されたＬＴＥモバイル規格に対する拡張のセットである。それは、ダウンリンク（ＤＬ）上およびアップリンク（ＵＬ）上にサイクリックプレフィックス（ＣＰ）を有するＯＦＤＭＡを使用して、スペクトル効率を向上させること、コストを下げること、サービスを向上させること、新たなスペクトルを利用すること、および他のオープン規格とより良好に統合することで、モバイルブロードバンドインターネットアクセスをより良好にサポートするように、ならびに、ビームフォーミング、多入力多出力（ＭＩＭＯ）アンテナ技術、およびキャリアアグリゲーションをサポートするように設計されている。
【０００６】
[0006]しかしながら、モバイルブロードバンドアクセスに対する需要は増加し続けるため、ＮＲ技術のさらなる改善の必要性が存在する。望ましくは、これらの改善は、これらの技術を用いる電気通信規格および他の多元接続技術に適用可能であるべきである。
【発明の概要】
【０００７】
[0007]本開示のシステム、方法、およびデバイスは、各々がいくつかの態様を有し、それらのうちのいずれも、それの望ましい特質を単独で担うものではない。以下の特許請求の範囲によって表される本開示の範囲を限定することなく、いくつかの特徴がこれより簡潔に説明されるであろう。この説明を検討した後、特に「詳細な説明」と題するセクションを読んだ後には、本開示の特徴が、ワイヤレスネットワークにおけるアクセスポイントと局との間の改善された通信を含む利点をどのように提供するかが理解されるであろう。
【０００８】
[0008]特定の態様は、ユーザ機器（ＵＥ）によるワイヤレス通信のための方法を提供する。方法は一般に、物理アップリンク共有チャネル（ＰＵＳＣＨ）送信のための伝送電力を決定するために少なくとも第１および第２のパラメータを取得することと、少なくとも第３のパラメータを、この第３のパラメータと少なくとも２つのパラメータとの関係に基づいて、取得することと、第１、第２、および第３のパラメータに基づいて算出された伝送電力でＰＵＳＣＨを送信することとを含む。
【０００９】
[0009]態様は一般に、添付の図面を参照して本明細書で実質的に説明されるおよびそれらによって例示される、方法、装置、システム、コンピュータ読取可能な媒体、および処理システムを含む。
【００１０】
[0010]前述した目的および関連する目的を達成するために、１つまたは複数の態様は、以下に十分に説明されかつ特許請求の範囲において具体的に示される特徴を備える。以下の説明および添付の図面は、１つまたは複数の態様の実例となる特定の特徴を詳細に示す。しかしながら、これらの特徴は、様々な態様の原理が用いられ得る様々な方法のうちのほんの一部を示し、この説明は、すべてのこのような態様およびそれらの同等物を含むことが意図される。
【００１１】
[0011]本開示の上記特徴を詳細に理解することができるように、上で簡潔に概要を述べた説明のより詳細な説明が、態様を参照して行われ得、そのうちのいくつかは、添付の図面において例示される。しかしながら、添付の図面は、本開示の特定の典型的な態様を例示しているに過ぎず、説明が他の同等に効果的な態様を認め得るため、その範囲を限定するようにみなされるべきではないことに留意されたい。
【図面の簡単な説明】
【００１２】
【図１】[0012]図１は、本開示の特定の態様に係る、例となる電気通信システムを概念的に例示するブロック図である。
【図２】[0013]図２は、本開示の特定の態様に係る、分散型無線アクセスネットワーク（ＲＡＮ）の例となる論理アーキテクチャを例示するブロック図である。
【図３】[0014]図３は、本開示の特定の態様に係る、分散型ＲＡＮの例となる物理アーキテクチャを例示する図である。
【図４】[0015]図４は、本開示の特定の態様に係る、例となる基地局（ＢＳ）およびユーザ機器（ＵＥ）の設計を概念的に例示するブロック図である。
【図５】[0016]図５は、本開示の特定の態様に係る、通信プロトコルスタックをインプリメントするための例を示す図である。
【図６】[0017]図６は、本開示の特定の態様に係る、ダウンリンク中心サブフレームの例を例示する。
【図７】[0018]図７は、本開示の特定の態様に係る、アップリンク中心サブフレームの例を例示する。
【図８】[0019]図８は、本開示の態様が実施され得る、ＳＵＬ（supplemental uplink）コンポーネントキャリアを有する例となるシナリオを例示する。
【図９】[0020]図９は、本開示の特定の態様に係る、アップリンク伝送電力制御のための例となる動作を例示する。
【図１０】[0021]図１０は、本開示の特定の態様に係る、アップリンク伝送電力制御のためのパラメータの例となるマッピングを例示する。
【詳細な説明】
【００１３】
[0022]理解を容易にするために、可能な場合には、同一の参照番号が、複数の図に共通な同一の要素を指定するために使用されている。一態様で開示される要素が、特定の記載なく他の態様に対して有益に利用され得ることは企図される。
【００１４】
[0023]本開示の態様は、新無線（ＮＲ）（新無線接続技術または５Ｇ技術）のための装置、方法、処理システム、およびコンピュータ読取可能な媒体を提供する。
【００１５】
[0024]ＮＲは、広帯域幅（例えば、８０ＭＨｚ以上（beyond））を対象とする拡張モバイルブロードバンド（ｅＭＢＢ）、高キャリア周波数（例えば、６０ＧＨｚ）を対象とするミリ波（ｍｍＷ）、後方互換性のないＭＴＣ技法を対象とするｍＭＴＣ（massive MTC）、および／または超高信頼低遅延通信（ＵＲＬＬＣ）を対象とするミッションクリティカルのような様々なワイヤレス通信サービスをサポートし得る。これらのサービスは、レイテンシおよび信頼性要件を含み得る。これらのサービスはまた、それぞれのサービス品質（ＱｏＳ）要件を満たすために、異なる送信時間インターバル（ＴＴＩ）を有し得る。加えて、これらのサービスは、同じサブフレーム内に共存し得る。
【００１６】
[0025]態様は、ＮＲ技術にしたがって動作する通信システムにおける制御リソースセット（ＣＯＲＥＳＥＴ）重複をサポートするために、制御チャネル要素（ＣＣＥ）にリソース要素グループ（ＲＥＧ）をマッピングするためのＲＥＧバンドルインターリーバ設計のための技法および装置を提供する。態様は、効率的な重複コアセットのための２ステップインターリーバ設計を提供する。第１のステップは、同じＣＣＥからのＲＥＧバンドルが異なるインターリーブブロック（interleaved block）内にくるように、ＲＥＧバンドルのセグメント内のＲＥＧバンドルを並べ替えて、ＲＥＧバンドルのインターリーブブロック（例えば、グループ）を生成することを含む。ゆえに、インターリーブの第２のステップでは、インターリーブブロックは、コアセット全体にわたってインターリーブされ、異なるブロック内の同じＣＣＥのＲＥＧバンドルは、最終的に遠く離れることとなり、それによって、周波数ダイバーシティを改善することができる。
【００１７】
[0026]以下の説明は、例を提供するものであり、特許請求の範囲に示される範囲、適用性、または例を限定するものではない。本開示の範囲から逸脱することなく、説明される要素の配置および機能に変更がなされ得る。様々な例は、様々なプロシージャまたはコンポーネントを、適宜、省略、代用、または追加し得る。例えば、説明される方法は、説明されるものとは異なる順序で実行され得、様々なステップが、追加、省略、または組み合わせられ得る。また、いくつかの例に関して説明される特徴は、いくつかの他の例では組み合わせられ得る。例えば、本明細書で示される任意の数の態様を使用して、装置がインプリメントされ得るか、方法が実施され得る。加えて、本開示の範囲は、本明細書で示される開示の様々な態様に加えて、または、それ以外に、他の構造、機能性、または構造と機能性を使用して実施されるこのような装置または方法をカバーすることが意図されている。本明細書で開示される本開示の任意の態様が、請求項の１つまたは複数の要素によって具現化され得ることは理解されるべきである。「例示的」という用語は、「例、事例、または例示として提供される」を意味するために本明細書で使用される。「例示的」であるとして本明細書で説明される任意の態様は、必ずしも、他の態様よりも好ましいまたは有利であると解釈されるべきではない。
【００１８】
[0027]本明細書で説明される技法は、ＬＴＥ、ＣＤＭＡ、ＴＤＭＡ、ＦＤＭＡ、ＯＦＤＭＡ、ＳＣ−ＦＤＭＡのような様々なワイヤレス通信ネットワークおよび他のネットワークに使用され得る。「ネットワーク」および「システム」という用語は交換して使用されることが多い。ＣＤＭＡネットワークは、ユニバーサル地上無線アクセス（ＵＴＲＡ）、ｃｄｍａ２０００、等のような無線技術をインプリメントし得る。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ（登録商標））のような無線技術をインプリメントし得る。ＯＦＤＭＡネットワークは、ＮＲ（例えば、５Ｇ ＲＡ）、次世代ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭＡ（Ｆｌａｓｈ−ＯＦＤＭ）、等のような無線技術をインプリメントし得る。ＵＴＲＡおよびＥ−ＵＴＲＡは、ユニバーサルモバイル電気通信システム（ＵＭＴＳ）の一部である。ＮＲは、５Ｇ技術フォーラム（５ＧＴＦ）と併せて開発中の新興のワイヤレス通信技術である。３ＧＰＰロングタームエボリューション（ＬＴＥ）およびＬＴＥアドバンスド（ＬＴＥ−Ａ）は、Ｅ−ＵＴＲＡを使用するＵＭＴＳのリリースである。ＵＴＲＡ、Ｅ―ＵＴＲＡ、ＵＭＴＳ、ＬＴＥ、ＬＴＥ−Ａ、およびＧＳＭは、「第３世代パートナーシッププロジェクト（３ＧＰＰ）」という名称の団体からの文書に記載されている。ｃｄｍａ２０００およびＵＭＢは、「第３世代パートナーシッププロジェクト２（３ＧＰＰ２）」という名称の団体からの文書に記載されている。本明細書で説明される技法は、上述されたワイヤレスネットワークおよび無線技術に加えて、他のワイヤレスネットワークおよび無線技術に対して使用され得る。明確性のために、３Ｇおよび／または４Ｇのワイヤレス技術に共通して関連付けられた専門用語を使用して態様が本明細書で説明され得るが、本開示の態様は、ＮＲ技術を含む５Ｇおよびそれ以降のような、他の世代ベースの通信システムにおいて適用されることができる。
【００１９】
例となるワイヤレス通信システム
[0028]図１は、本開示の態様が実行され得る、新無線（ＮＲ）または５Ｇネットワークのような、例となるワイヤレスネットワーク１００を例示する。例えば、図１に示されるＵＥ１２０は、以下で説明される動作９００にしたがって伝送電力制御を実行するように構成され得る。
【００２０】
[0029]図１において例示されているように、ワイヤレスネットワーク１００は、いくつかの基地局（ＢＳ）１１０および他のネットワークエンティティを含み得る。ＢＳは、ＵＥと通信する局であり得る。各ＢＳ１１０は、特定の地理的エリアに通信カバレッジを提供し得る。３ＧＰＰでは、「セル」という用語は、この用語が使用されるコンテキストに応じて、ノードＢのカバレッジエリア、および／または、このカバレッジエリアにサービス提供するＮＢサブシステムを指し得る。ＮＲシステムでは、「セル」および発展型ＮＢ（ｅＮＢ）、ＮＢ、５Ｇ ＮＢ、次世代ＮＢ（ｇＮＢ）、アクセスポイント（ＡＰ）、ＢＳ、ＮＲ ＢＳ、５Ｇ ＢＳ、または送受信ポイント（ＴＲＰ）という用語は、交換可能であり得る。いくつかの例では、セルは、必ずしも静止しているわけではなく、セルの地理的エリアは、モバイルＢＳのロケーションにしたがって移動し得る。いくつかの例では、ＢＳは、任意の適切な転送ネットワークを使用して、直接的な物理接続、仮想ネットワーク、等のような様々なタイプのバックホールインターフェースを通して、互いにおよび／またはワイヤレスネットワーク１００中の１つまたは複数の他のＢＳまたはネットワークノード（図示せず）に相互接続され得る。
【００２１】
[0030]一般に、任意の数のワイヤレスネットワークが、所与の地理的エリアに展開され得る。各ワイヤレスネットワークは、特定の無線アクセス技術（ＲＡＴ）をサポートし得、１つまたは複数の周波数上で動作し得る。ＲＡＴは、無線技術、エアインターフェース、等とも呼ばれ得る。周波数は、キャリア、周波数チャネル、等とも呼ばれ得る。各周波数は、異なるＲＡＴのワイヤレスネットワーク間の干渉を回避するために、所与の地理的エリアにおいて単一のＲＡＴをサポートし得る。いくつかのケースでは、ＮＲまたは５Ｇ ＲＡＴネットワークが展開され得る。
【００２２】
[0031]ＢＳは、マクロセル、ピコセル、フェムトセル、および／または他のタイプのセルのための通信カバレッジを提供し得る。マクロセルは、比較的大きな地理的エリア（例えば、半径数キロ）をカバーし得、サービスに加入しているＵＥによる無制限のアクセスを許可し得る。ピコセルは、比較的小さい地理的エリアをカバーし得、サービスに加入しているＵＥによる無制限のアクセスを許可し得る。フェムトセルは、比較的小さい地理的エリア（例えば、家）をカバーし得、このフェムトセルと関連性のあるＵＥ（例えば、クローズド加入者グループ（ＣＳＧ）内のＵＥ、家の中にいるユーザのＵＥ、等）による制限付きアクセスを許可し得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示される例では、ＢＳ１１０ａ、１１０ｂ、１１０ｃはそれぞれ、マクロセル１０２ａ、１０２ｂ、１０２ｃのためのマクロＢＳであり得る。ＢＳ１１０ｘは、ピコセル１０２ｘのためのピコＢＳであり得る。ＢＳ１１０ｙおよび１１０ｚはそれぞれ、フェムトセル１０２ｙおよび１０２ｚのためのフェムトＢＳであり得る。ＢＳは、１つまたは複数の（例えば、３つの）セルをサポートし得る。
【００２３】
[0032]ワイヤレスネットワーク１００はまた、中継局を含み得る。中継局は、アップストリーム局（例えば、ＢＳまたはＵＥ）からデータおよび／または他の情報の送信を受信し、ダウンストリーム局（例えば、ＵＥまたはＢＳ）にデータおよび／または他の情報の送信を送る局である。中継局はまた、他のＵＥのための送信を中継するＵＥであり得る。図１に示される例では、中継局１１０ｒは、ＢＳ１１０ａとＵＥ１２０ｒとの間の通信を容易にするために、ＢＳ１１０ａおよびＵＥ１２０ｒと通信し得る。中継局は、中継ＢＳ、リレー、等とも呼ばれ得る。
【００２４】
[0033]ワイヤレスネットワーク１００は、異なるタイプのＢＳ、例えば、マクロＢＳ、ピコＢＳ、フェムトＢＳ、リレー、等を含む異種ネットワークであり得る。これらの異なるタイプのＢＳは、ワイヤレスネットワーク１００において、異なる伝送電力レベル、異なるカバレッジエリア、および干渉に対する異なる影響を有し得る。例えば、マクロＢＳは、高い伝送電力レベル（例えば、２０ワット）を有し得るが、ピコＢＳ、フェムトＢＳ、およびリレーは、より低い伝送電力レベル（例えば、１ワット）を有し得る。
【００２５】
[0034]ワイヤレスネットワーク１００は、同期動作または非同期動作をサポートし得る。同期動作の場合、ＢＳは、同様のフレームタイミングを有し得、異なるＢＳからの送信は、時間的におおまかにアラインされ得る。非同期動作の場合、ＢＳは、異なるフレームタイミングを有し得、異なるＢＳからの送信は、時間的にアラインされない可能性がある。本明細書で説明される技法は、同期動作と非同期動作の両方に対して使用され得る。
【００２６】
[0035]ネットワークコントローラ１３０は、ＢＳのセットに結合され得、これらのＢＳのための協調および制御を提供する。ネットワークコントローラ１３０は、バックホールを介してＢＳ１１０と通信し得る。ＢＳ１１０はまた、例えば、ワイヤレスまたはワイヤラインバックホールを介して間接的または直接的に互いに通信し得る。
【００２７】
[0036]ＵＥ１２０（例えば、１２０ｘ、１２０ｙ、等）は、ワイヤレスネットワーク１００全体にわたって分散しており、各ＵＥは、据置式または可動式であり得る。ＵＥは、モバイル局、端末、アクセス端末、加入者ユニット、局、カスタマ構内設備（ＣＰＥ）、セルラ電話、スマートフォン、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、カメラ、ゲーミングデバイス、ネットブック、スマートブック、ウルトラブック、医療デバイスまたは医療機器、生体センサ／デバイス、スマートウォッチ、スマートクロージング、スマートグラス、スマートリストバンド、スマートジュエリー（例えば、スマートリング、スマートブレスレット、等）のようなウェアラブルデバイス、エンターテイメントデバイス（例えば、ミュージックデバイス、ビデオデバイス、衛星ラジオ、等）、車両用の部品またはセンサ、スマートメータ／センサ、工業製造設備、全地球測位システムデバイス、あるいはワイヤレスまたはワイヤード媒体を介して通信するように構成された任意の他の適切なデバイスとも呼ばれ得る。いくつかのＵＥは、発展型またはマシンタイプ通信（ＭＴＣ）デバイスあるいは発展型ＭＴＣ（ｅＭＴＣ）デバイスとみなされ得る。ＭＴＣおよびｅＭＴＣ ＵＥは、例えば、ＢＳ、別のデバイス（例えば、リモートデバイス）、または何らかの他のエンティティと通信し得るロボット、ドローン、リモートデバイス、センサ、メータ、モニタ、ロケーションタグ、等を含む。ワイヤレスノードは、例えば、ワイヤードまたはワイヤレス通信リンクを介して、ネットワーク（例えば、セルラネットワークまたはインターネットのような広域ネットワーク）のためのまたはそれへの接続性を提供し得る。いくつかのＵＥは、モノのインターネット（ＩｏＴ）または狭帯域ＩｏＴ（ＮＢ−ＩｏＴ）デバイスとみなされ得る。
【００２８】
[0037]図１では、両矢印付きの実線は、ＵＥと、ダウンリンクおよび／またはアップリンク上でＵＥにサービス提供するように指定されたＢＳであるサービングＢＳとの間の所望の送信を示す。両矢印付きの破線は、ＵＥとＢＳとの間の干渉する送信を示す。
【００２９】
[0038]特定のワイヤレスネットワーク（例えば、ＬＴＥ）は、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビン、サブバンド、等、とも呼ばれる複数の（Ｋ個の）直交サブキャリアに分割する。各サブキャリアは、データで変調され得る。一般に、ＯＦＤＭでは周波数ドメインで、ＳＣ−ＦＤＭでは時間ドメインで変調シンボルが送られる。隣接したサブキャリア間の間隔は固定であり得、サブキャリアの総数（Ｋ）はシステム帯域幅に依存し得る。例えば、サブキャリアの間隔は１５ｋＨｚであり得、（リソースブロック（ＲＢ）と呼ばれる）最小リソース割振りは１２個のサブキャリア（または、１８０ｋＨｚ）であり得る。結果として、公称ＦＦＴサイズは、１．２５、２．５、５、１０、または２０メガヘルツ（ＭＨｚ）のシステム帯域幅に対して、それぞれ１２８、２５６、５１２、１０２４、または２０４８に等しいであろう。システム帯域幅はまた、サブバンドに分割され得る。例えば、サブバンドは、１．０８ＭＨｚ（すなわち、６個のＲＢ）をカバーし得、１．２５、２．５、５、１０、または２０ＭＨｚのシステム帯域幅に対して、それぞれ１つ、２つ、４つ、８つ、または１６個のサブバンドが存在し得る。
【００３０】
[0039]本明細書で説明される例の態様は、ＬＴＥ技術に関連付けられ得るが、本開示の態様は、ＮＲのような他のワイヤレス通信システムが適用可能であり得る。ＮＲは、アップリンクおよびダウンリンク上でＣＰを有するＯＦＤＭを利用し、時分割複信（ＴＤＤ）を使用する半二重動作へのサポートを含み得る。１００ＭＨｚの単一のコンポーネントキャリア帯域幅がサポートされ得る。ＮＲリソースブロックは、０．１ｍｓの持続時間にわたって、７５ｋＨｚのサブキャリア帯域幅を有する１２個のサブキャリアに広がり得る。各無線フレームは、１０ｍｓの長さを有する５０個のサブフレームからなり得る。結果として、各サブフレームは、０．２ｍｓの長さを有し得る。各サブフレームは、データ送信のためのリンク方向（すなわち、ＤＬまたはＵＬ）を示し得、各サブフレームのためのリンク方向は、動的に切り替えられ得る。各サブフレームは、ＤＬ／ＵＬデータおよびＤＬ／ＵＬ制御データを含み得る。ＮＲのためのＵＬおよびＤＬサブフレームは、図６および図７に関して以下でより詳細に説明され得る。ビームフォーミングがサポートされ得、ビーム方向が動的に構成され得る。プリコーディング付きのＭＩＭＯ送信もサポートされ得る。ＤＬにおけるＭＩＭＯ構成は、最大８つのストリームおよびＵＥあたり最大２つのストリームまでのマルチレイヤＤＬ送信で最大８つの送信アンテナをサポートし得る。ＵＥあたり最大２つのストリームでのマルチレイヤ送信がサポートされ得る。複数のセルのアグリゲーションが、最大８つのサービングセルでサポートされ得る。代替的に、ＮＲは、ＯＦＤＭベース以外の異なるエアインターフェースをサポートし得る。ＮＲネットワークは、ＣＵおよび／またはＤＵのようなエンティティを含み得る。
【００３１】
[0040]いくつかの例では、エアインターフェースへのアクセスがスケジューリングされ得、ここにおいて、スケジューリングエンティティ（例えば、ＢＳ）は、そのサービスエリアまたはセル内のいくつかのまたはすべてのデバイスおよび機器の間で、通信のためのリソースを割り振る。本開示内では、さらに以下で説明されるように、スケジューリングエンティティは、１つまたは複数の下位エンティティのためにリソースをスケジューリングすること、割り当てること、再構成すること、および解放することを担い得る。すなわち、スケジューリングされた通信のために、下位エンティティは、スケジューリングエンティティによって割り振られたリソースを利用する。ＢＳは、スケジューリングエンティティとして機能し得る唯一のエンティティではない。すなわち、いくつかの例では、あるＵＥが、１つまたは複数の下位エンティティ（例えば、１つまたは複数の他のＵＥ）のためにリソースをスケジューリングするスケジューリングエンティティとして機能し得る。この例では、このＵＥがスケジューリングエンティティとして機能しており、他のＵＥは、このＵＥによってスケジューリングされたリソースをワイヤレス通信のために利用する。ＵＥは、ピア・ツー・ピア（Ｐ２Ｐ）ネットワークにおいておよび／またはメッシュネットワークにおいてスケジューリングエンティティとして機能し得る。メッシュネットワークの例では、ＵＥは、オプションで、スケジューリングエンティティと通信することに加えて、互いに直接通信し得る。
【００３２】
[0041]ゆえに、時間−周波数リソースへのスケジューリングされたアクセスを有する、および、セルラ構成、Ｐ２Ｐ構成、およびメッシュ構成を有するワイヤレス通信ネットワークでは、スケジューリングエンティティおよび１つまたは複数の下位エンティティは、スケジューリングされたリソースを利用して通信し得る。
【００３３】
[0042]図２は、分散型無線アクセスネットワーク（ＲＡＮ）２００の例となる論理アーキテクチャを例示し、これは、図１において例示されたワイヤレス通信システムにおいてインプリメントされ得る。５Ｇアクセスノード２０６は、アクセスノードコントローラ（ＡＮＣ）２０２を含み得る。ＡＮＣ２０２は、分散型ＲＡＮ２００の中央ユニット（ＣＵ）であり得る。次世代コアネットワーク（ＮＧ−ＣＮ）２０４へのバックホールインターフェースは、ＡＮＣ２０２で終端し得る。近隣の次世代アクセスノード（ＮＧ−ＡＮ）２１０へのバックホールインターフェースは、ＡＮＣ２０２で終端し得る。ＡＮＣ２０２は、１つまたは複数のＴＲＰ２０８を含み得る。上で説明したように、ＴＲＰは、「セル」と交換して使用され得る。
【００３４】
[0043]ＴＲＰ２０８は、ＤＵであり得る。ＴＲＰは、１つのＡＮＣ（ＡＮＣ２０２）または１つよりも多くのＡＮＣ（例示せず）に接続され得る。例えば、ＲＡＮ共有、ＲａａＳ（radio as a service）、およびサービス固有ＡＮＤ展開のために、ＴＲＰは、１つよりも多くのＡＮＣに接続され得る。ＴＲＰ２０８は、１つまたは複数のアンテナポートを含み得る。ＴＲＰは、個別に（例えば、動的選択）または合同で（例えばジョイント送信）、ＵＥへのトラフィックをサービス提供するように構成され得る。
【００３５】
[0044]論理アーキテクチャは、異なる展開タイプにわたってフロントホールソリューション（fronthauling solution）をサポートし得る。例えば、論理アーキテクチャは、送信ネットワーク能力（例えば、帯域幅、レイテンシ、および／またはジッタ）に基づき得る。論理アーキテクチャは、特徴および／またはコンポーネントをＬＴＥと共有し得る。ＮＧ−ＡＮ２１０は、ＮＲとのデュアル接続性をサポートし得る。ＮＧ−ＡＮ２１０は、ＬＴＥおよびＮＲについて共通のフロントホールを共有し得る。論理アーキテクチャは、ＴＲＰ２０８間の（between and among）協働を可能にし得る。例えば、協働は、ＡＮＣ２０２を介して複数のＴＲＰにわたっておよび／または１つのＴＲＰ内であらかじめ調整されているであろう。ＴＲＰ間インターフェースは、存在しない可能性がある。
【００３６】
[0045]論理アーキテクチャは、分割論理機能の動的構成を有し得る。図５を参照してより詳細に説明されるように、無線リソース制御（ＲＲＣ）レイヤ、パケットデータコンバージェンスプロトコル（ＰＤＣＰ）レイヤ、無線リンク制御（ＲＬＣ）レイヤ、媒体アクセス制御（ＭＡＣ）レイヤ、および物理（ＰＨＹ）レイヤは、ＤＵまたはＣＵ（例えば、それぞれ、ＴＲＰまたはＡＮＣ）に適応可能に配置され得る。ＢＳは、中央ユニット（ＣＵ）（例えば、ＡＮＣ２０２）、および／または１つまたは複数の分散ユニット（例えば、１つまたは複数のＴＲＰ２０８）を含み得る。
【００３７】
[0046]図３は、本開示の特定の態様にしたがった、分散型ＲＡＮ３００の例となる物理アーキテクチャを例示する。集中型コアネットワークユニット（Ｃ−ＣＵ）３０２は、コアネットワーク機能をホストし得る。Ｃ−ＣＵ３０２は、中央に展開され得る。Ｃ−ＣＵの機能性は、ピーク容量を処理しようとして、（例えば、アドバンスドワイヤレスサービス（ＡＷＳ）に）オフロードされ得る。集中型ＲＡＮユニット（Ｃ−ＲＵ）３０４は、１つまたは複数のＡＮＣ機能をホストし得る。Ｃ−ＲＵ３０４は、コアネットワーク機能をローカルにホストし得る。Ｃ−ＲＵ３０４は、分散型展開を有し得る。Ｃ−ＲＵ３０４は、ネットワークエッジの近くあり得る。ＤＵ３０６は、１つまたは複数のＴＲＰをホストし得る。ＤＵ３０６は、無線周波数（ＲＦ）機能性を有するネットワークのエッジに位置し得る。
【００３８】
[0047]図４は、本開示の態様をインプリメントするために使用され得る、図１において例示されたＢＳ１１０およびＵＥ１２０の例となるコンポーネントを例示する。上で説明したように、ＢＳはＴＲＰを含み得る。ＢＳ１１０およびＵＥ１２０の１つまたは複数のコンポーネントは、本開示の態様を実施するために使用され得る。例えば、ＵＥ１２０のアンテナ４５２、Ｔｘ／Ｒｘ２２２、プロセッサ４６６、４５８、４６４、および／またはコントローラ／プロセッサ４８０、ならびに／あるいは、ＢＳ１１０のアンテナ４３４、プロセッサ４６０、４２０、４３８、および／またはコントローラ／プロセッサ４４０が、本明細書で説明される動作を実行するために使用され得る。
【００３９】
[0048]図４は、ＢＳ１１０およびＵＥ１２０の設計のブロック図を示し、これらは、図１のＢＳのうちの１つおよびＵＥのうちの１つであり得る。制限付きの関連付けシナリオの場合、ＢＳ１１０は、図１のマクロＢＳ１１０ｃであり得、ＵＥ１２０は、ＵＥ１２０ｙであり得る。ＢＳ１１０はまた、何らかの他のタイプのＢＳであり得る。ＢＳ１１０は、アンテナ４３４ａ〜４３４ｔを装備し得、ＵＥ１２０は、アンテナ４５２ａ〜４５２ｒを装備し得る。
【００４０】
[0049]ＢＳ１１０において、送信プロセッサ４２０はデータソース４１２からデータを受け取り、コントローラ／プロセッサ４４０から制御情報を受け取り得る。制御情報は、物理ブロードキャストチャネル（ＰＢＣＨ）、物理制御フォーマットインジケータチャネル（ＰＣＦＩＣＨ）、物理ハイブリッドＡＲＱインジケータチャネル（ＰＨＩＣＨ）、物理ダウンリンク制御チャネル（ＰＤＣＣＨ）、等のためのものであり得る。データは、物理ダウンリンク共有チャネル（ＰＤＳＣＨ）、等のためのものであり得る。プロセッサ４２０は、このデータおよび制御情報を処理（例えば、符号化およびシンボルマッピング）して、それぞれデータシンボルおよび制御シンボルを取得し得る。プロセッサ４２０はまた、例えば、ＰＳＳ、ＳＳＳ、およびセル固有基準信号のための基準シンボルを生成し得る。送信（ＴＸ）多入力多出力（ＭＩＭＯ）プロセッサ４３０は、適用可能であれば、これらデータシンボル、制御シンボル、および／または基準シンボルに対して空間処理（例えば、プリコーディング）を実行し得、変調器（ＭＯＤ）４３２ａ〜４３２ｔに出力シンボルストリームを提供し得る。例えば、ＴＸ ＭＩＭＯプロセッサ４３０は、ＲＳ多重化のために本明細書で説明される特定の態様を実行し得る。各変調器４３２は、それぞれの出力シンボルストリーム（例えば、ＯＦＤＭ、等のための）を処理して、出力サンプルストリームを取得し得る。各変調器４３２は、この出力サンプルストリームをさらに処理（例えば、アナログ変換、増幅、フィルタリング、およびアップコンバート）して、ダウンリンク信号を取得し得る。変調器４３２ａ〜４３２ｔからのダウンリンク信号は、それぞれアンテナ４３４ａ〜４３４ｔを介して送信され得る。
【００４１】
[0050]ＵＥ１２０において、アンテナ４５２ａ〜４５２ｒは、基地局１１０からダウンリンク信号を受信し得、受信した信号をそれぞれ復調器（ＤＥＭＯＤ）４５４ａ〜４５４ｒに提供し得る。各復調器４５４は、それぞれの受信した信号を調整（例えば、フィルタリング、増幅、ダウンコンバート、およびデジタル化）して、入力サンプルを取得し得る。各復調器４５４は、これら入力サンプル（例えば、ＯＦＤＭ、等のための）をさらに処理して、受信シンボルを取得し得る。ＭＩＭＯ検出器４５６は、すべての復調器４５４ａ〜４５４ｒから受信シンボルを取得し、適用可能であれば、これら受信シンボルに対してＭＩＭＯ検出を実行し、検出されたシンボルを提供し得る。例えば、ＭＩＭＯ検出器４５６は、本明細書で説明される技法を使用して送信された検出されたＲＳを提供し得る。受信プロセッサ４５８は、検出されたシンボルを処理（例えば、復調、デインタリーブ、および復号）し、ＵＥ１２０のための復号済みデータをデータシンク４６０に提供し、復号済み制御情報をコントローラ／プロセッサ４８０に提供し得る。
【００４２】
[0051]アップリンク上では、ＵＥ１２０において、送信プロセッサ４６４は、データソース４６２から（例えば、物理アップリンク共有チャネル（ＰＵＳＣＨ）のための）データを、そしてコントローラ／プロセッサ４８０から（例えば、物理アップリンク制御チャネル（ＰＵＣＣＨ）のための）制御情報を受け取り、処理し得る。送信プロセッサ４６４はまた、基準信号のための基準シンボルを生成し得る。送信プロセッサ４６４からのシンボルは、適用可能であれば、ＴＸ ＭＩＭＯプロセッサ４６６によってプリコーディングされ、復調器４５４ａ〜４５４ｒによってさらに処理され（例えば、ＳＣ−ＦＤＭ、等のために）、ＢＳ１１０に送信され得る。ＢＳ１１０において、ＵＥ１２０からのアップリンク信号は、アンテナ４３４によって受信され、変調器４３２によって処理され、適用可能であれば、ＭＩＭＯ検出器４３６によって検出され、受信プロセッサ４３８によってさらに処理されて、ＵＥ１２０によって送られた復号済みデータおよび制御情報が取得され得る。受信プロセッサ４３８は、復号済みデータをデータシンク４３９に提供し、復号済み制御情報をコントローラ／プロセッサ４４０に提供し得る。
【００４３】
[0052]コントローラ／プロセッサ４４０および４８０は、それぞれ基地局１１０およびＵＥ１２０における動作を指揮し得る。基地局１１０のプロセッサ４４０および／または他のプロセッサおよびモジュールは、例えば、本明細書で説明される技法の実行を実行または指揮し得る。ＵＥ１２０のプロセッサ４８０および／または他のプロセッサおよびモジュールはまた、本明細書で説明される技法のためのプロセスを実行または指揮し得る。メモリ４４２および４８２は、それぞれＢＳ１１０およびＵＥ１２０のためのデータおよびプログラムコードを記憶し得る。スケジューラ４４４は、ダウンリンクおよび／またはアップリンク上でのデータ送信についてＵＥをスケジューリングし得る。
【００４４】
[0053]図５は、本開示の特定の態様にしたがった、通信プロトコルスタックをインプリメントするための例を示す図５００を例示する。例示される通信プロトコルスタックは、５Ｇシステム（例えば、アップリンクベースのモビリティをサポートするシステム）において動作するデバイスによってインプリメントされ得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、媒体アクセス制御（ＭＡＣ）レイヤ５２５、および物理（ＰＨＹ）レイヤ５３０を含む通信プロトコルスタックを例示する。様々な例では、プロトコルスタックのレイヤは、ソフトウェアの別個のモジュール、プロセッサまたはＡＳＩＣの一部、通信リンクによって接続された非コロケートデバイス（non-collocated device）の一部、あるいはそれらの様々な組合せとしてインプリメントされ得る。コロケートおよび非コロケートインプリメンテーションが、例えば、ネットワークアクセスデバイス（例えば、ＡＮ、ＣＵ、および／またはＤＵ）またはＵＥのためのプロトコルスタックにおいて使用され得る。
【００４５】
[0054]第１のオプション５０５−ａは、プロトコルスタックの分割インプリメンテーションを示し、ここでは、プロトコルスタックのインプリメンテーションは、集中型ネットワークアクセスデバイス（例えば、図２のＡＮＣ２０２）と分散型ネットワークアクセスデバイス（例えば、図２のＤＵ２０８）との間で分割されている。第１のオプション５０５−ａでは、ＲＲＣレイヤ５１０およびＰＤＣＰレイヤ５１５が中央ユニットによってインプリメントされ得、ＲＬＣレイヤ５２０、ＭＡＣレイヤ５２５、およびＰＨＹレイヤ５３０がＤＵによってインプリメントされ得る。様々な例では、ＣＵおよびＤＵは、コロケートであっても非コロケートであってもよい。第１のオプション５０５−ａは、マクロセル、マイクロセル、またはピコセル展開において有用であり得る。
【００４６】
[0055]第２のオプション５０５−ｂは、プロトコルスタックの統合インプリメンテーションを示し、ここでは、プロトコルスタックは、単一のネットワークアクセスデバイス（例えば、アクセスノード（ＡＮ）、新無線基地局（ＮＲ ＢＳ）、新無線ノードＢ（ＮＲ ＮＢ）、ネットワークノード（ＮＮ）、等）においてインプリメントされる。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は各々、ＡＮによってインプリメントされ得る。第２のオプション５０５−ｂは、フェムトセル展開において有用であり得る。
【００４７】
[0056]ネットワークアクセスデバイスがプロトコルスタックの一部をインプリメントするか全部をインプリメントするかにかかわらず、ＵＥは、プロトコルスタック全体（例えば、ＲＲＣレイヤ５１０、ＰＤＣＰレイヤ５１５、ＲＬＣレイヤ５２０、ＭＡＣレイヤ５２５、およびＰＨＹレイヤ５３０）をインプリメントし得る。
【００４８】
[0057]図６は、ＤＬ中心サブフレーム６００（例えば、スロットとも呼ばれる）の例を示す図である。ＤＬ中心サブフレーム６００は、制御部分６０２を含み得る。制御部分６０２は、ＤＬ中心サブフレームの初期部分すなわち初めの部分に存在し得る。制御部分６０２は、ＤＬ中心サブフレーム６００の様々な部分に対応する様々なスケジューリング情報および／または制御情報を含み得る。いくつかの構成では、制御部分６０２は、図６で示されているように、物理ＤＬ制御チャネル（ＰＤＣＣＨ）であり得る。ＤＬ中心サブフレーム６００はまた、ＤＬデータ部分６０４を含み得る。ＤＬデータ部分６０４は、ＤＬ中心サブフレーム６００のペイロードと呼ばれ得る。ＤＬデータ部分６０４は、スケジューリングエンティティ（例えば、ＵＥまたはＢＳ）から下位エンティティ（例えば、ＵＥ）にＤＬデータを通信するために利用される通信リソースを含み得る。いくつかの構成では、ＤＬデータ部分６０４は、物理ＤＬ共有チャネル（ＰＤＳＣＨ）であり得る。
【００４９】
[0058]ＤＬ中心サブフレーム６００はまた、共通ＵＬ部分６０６を含み得る。共通ＵＬ部分６０６は、ＵＬバースト、共通ＵＬバースト、および／または様々な他の適切な用語で呼ばれることがあり得る。共通ＵＬ部分６０６は、ＤＬ中心サブフレーム６００の様々な他の部分に対応するフィードバック情報を含み得る。例えば、共通ＵＬ部分６０６は、制御部分６０２に対応するフィードバック情報を含み得る。フィードバック情報の非限定的な例には、ＡＣＫ信号、ＮＡＣＫ信号、ＨＡＲＱインジケータ、および／または様々な他の適切なタイプの情報が含まれ得る。共通ＵＬ部分６０６は、ランダムアクセスチャネル（ＲＡＣＨ）プロシージャに関する情報、スケジューリング要求（ＳＲ）に関する情報、および様々な他の適切なタイプの情報のような、追加のまたは代わりの情報を含み得る。図６において例示されているように、ＤＬデータ部分６０４の終わりは、共通ＵＬ部分６０６の始まりから時間的に分離され得る。この時間的な分離（separation）は、ギャップ、ガード期間、ガードインターバル、および／または様々な他の適切な用語で呼ばれ得る。この分離は、ＤＬ通信（例えば、下位エンティティ（例えば、ＵＥ）による受信動作）からＵＬ通信（例えば、下位エンティティ（例えば、ＵＥ）による送信）へのスイッチオーバのための時間を提供する。当業者であれば、前述のものが、ＤＬ中心サブフレームの単なる一例に過ぎず、必ずしも本明細書で説明されている態様から逸脱することなく、同様の特徴を有する代替的な構造が存在し得ることを理解するであろう。
【００５０】
[0059]図７は、ＵＬ中心サブフレーム７００の例を示す図である。ＵＬ中心サブフレーム７００は、制御部分７０２を含み得る。制御部分７０２は、ＵＬ中心サブフレーム７００の初期部分すなわち初めの部分に存在し得る。図７の制御部分７０２は、図６を参照して上で説明した制御部分６０２に類似し得る。ＵＬ中心サブフレーム７００はまた、ＵＬデータ部分７０４を含み得る。ＵＬデータ部分７０４は、ＵＬ中心サブフレームのペイロードと呼ばれ得る。ＵＬ部分は、下位エンティティ（例えば、ＵＥ）からスケジューリングエンティティ（例えば、ＵＥまたはＢＳ）にＵＬデータを通信するために利用される通信リソースを指し得る。いくつかの構成では、制御部分７０２は、ＰＤＣＣＨであり得る。
【００５１】
[0060]図７において例示されているように、制御部分７０２の終わりは、ＵＬデータ部分７０４の始まりから時間的に分離され得る。この時間的な分離は、ギャップ、ガード期間、ガードインターバル、および／または様々な他の適切な用語で呼ばれ得る。この分離は、ＤＬ通信（例えば、スケジューリングエンティティによる受信動作）からＵＬ通信（例えば、スケジューリングエンティティによる送信）へのスイッチオーバのための時間を提供する。ＵＬ中心サブフレーム７００はまた、共通ＵＬ部分７０６を含み得る。図７の共通ＵＬ部分７０６は、図６を参照して上で説明した共通ＵＬ部分６０６に類似し得る。共通ＵＬ部分７０６は、チャネル品質インジケータ（ＣＱＩ）、サウンディング基準信号（ＳＲＳ）に関する追加のまたは代わりの情報、および様々な他の適切なタイプの情報を含み得る。当業者であれば、前述のものが、ＵＬ中心サブフレームの単なる一例に過ぎず、必ずしも本明細書で説明されている態様から逸脱することなく、同様の特徴を有する代替的な構造が存在し得ることを理解するであろう。
【００５２】
[0061]いくつかの状況では、２つ以上の下位エンティティ（例えば、ＵＥ）は、サイドリンク信号を使用して互いに通信し得る。そのようなサイドリンク通信の実世界の適用例には、公共の安全、プロキシミティサービス、ＵＥからネットワークへの中継、車車間（Ｖ２Ｖ）通信、ＩｏＥ（Internet of Everything）通信、ＩｏＴ通信、ミッションクリティカルメッシュ、および／または様々な他の適切な適用が含まれ得る。一般に、サイドリンク信号は、スケジューリングエンティティ（例えば、ＵＥまたはＢＳ）がスケジューリングおよび／または制御目的に利用され得るとしても、そのスケジューリングエンティティを通して通信を中継することなく、ある下位エンティティ（例えば、ＵＥ１）から別の下位エンティティ（例えば、ＵＥ２）に通信される信号を指し得る。いくつかの例では、サイドリンク信号は、（典型的にはアンライセンススペクトルを使用するワイヤレスローカルエリアネットワークとは違って）ライセンススペクトルを使用して通信され得る。
【００５３】
[0062]特定のワイヤレス通信システム展開は、キャリアアグリゲーション（ＣＡ）方式の一部として複数のダウンリンク（ＤＬ）コンポーネントキャリア（ＣＣ）を利用する。例えば、プライマリＤＬ ＣＣに加えて、１つまたは複数のＳＤＬ（Ｓupplemental DL）ＣＣが、データスループットおよび／または信頼性を高めるために使用され得る。
【００５４】
[0063]図８において例示されているように、ＮＲの場合、ＳＵＬ（Supplemental UL）も利用され得る。ＳＵＬは一般に、セル中に対応するＤＬ ＣＣのないＵＬ ＣＣを指し得る。換言すると、ＳＵＬは一般に、ＮＲデバイスの観点からするとキャリアのためにＵＬリソースのみがある場合を指し得る。本開示の態様は、（プライマリ）ＵＬ ＣＣ上またはＳＵＬ ＣＣ上のどちらでもＲＡＣＨ送信を可能にするシステムにおいてＲＡＣＨプロシージャをサポートおよび可能にするのを助け得る技法を提供する。
【００５５】
例となる電力制御構成
[0064]物理アップリンク共有チャネル（ＰＵＳＣＨ）送信のようなアップリンク送信を送るとき、ＵＥは、適用すべき伝送電力の値を決定する必要があり得る。この値は、典型的に、他のＵＥ（のアップリンクおよび／またはダウンリンク送信）への干渉を緩和しつつ、基地局が送信を正常に（successfully）復号することできるギリギリの値となるように選択される。
【００５６】
[0065]いくつかのケースでは、ＵＥは、ＵＥからのＰＵＳＣＨ、ＰＵＣＣＨ、ＳＲＳ、およびＰＲＡＣＨ送信のための伝送電力を決定するためにＵＥが使用する式において使用することとなる様々なパラメータを含む電力制御構成で構成され得る。例えば、ＵＥは、以下の式にしたがって、ＰＵＳＣＨ伝送電力制御を決定し得る：
【００５７】
【数１】
2021511742.tif 000003
【００５８】
これは以下のパラメータを含む：
ｉ：送信期間のインデックス；ｆ：キャリアのインデックス（例えば、プライマリＵＬまたはＳＵＬ）、ｃは、キャリアアグリゲーション（ＣＡ）のケースでのサービングセルのインデックスである。  
−ＰＣＭＡＸ，ｆ、ｃ（ｉ）は、ＰＵＳＣＨ送信機会ｉにおいてサービングセルｃのキャリアｆのための構成されたＵＥ伝送電力である。  
ｊ：開ループ電力制御インデックスは、例えば、以下のために構成されることができる、
グラントベースのＰＵＳＣＨ、グラントフリーのＰＵＳＣＨ、およびＭｓｇ３のためのＰＵＳＣＨ
グラントベースのＰＵＳＣＨのためのＰＵＳＣＨビームインジケーション（存在する場合）、および／または
ＰＵＳＣＨの可能な論理チャネル
ｑｄ：経路損失（ＰＬ）を算出するために使用されるダウンリンク基準信号のインデックス
ｌ：最大２、すなわちｌ＝１または２、の電力制御プロセスであって、例えば、以下のために構成されることができる、
グラントベースのＰＵＳＣＨのためのＰＵＳＣＨビームインジケーション（存在する場合）
スロットセット（サポートされる場合）、および／または
グラントフリーＰＵＳＣＨおよびグラントベースＰＵＳＣＨ。
【００５９】
[0066]いくつかのケースでは、セル（ＢＷＰまたは帯域幅部分）ごとに、（例えば、ｊ＝０，１，．．３１について）最大３２個の値のアルファおよびＰ０が構成され得る。セル／ＢＷＰごとに、ある数の、Ｍ個の、ダウンリンク基準信号が、ＵＥに送信するために構成され得る（例えば、ｑｄ＝０，１，．．Ｍ−１）。ＳＲＳリソースセットごとに、リソースにつき１つのＤＬ基準信号が（例えば、ＲＲＣ構成を介して）構成される。
【００６０】
[0067]残念ながら、現時点では、ｊ、ｑｄ、およびｌの間に定義された関係（リンケージ）が存在しないため、ＵＥは、上の式に基づいてアップリンク伝送電力を決定するために必要なすべてのパラメータを取得することは困難であり得る。結果として、伝送電力制御のためのパラメータの準最適値が使用され得る。例えば、（Ｍｓｇ３のような）ＳＲＳ構成の前に、ＤＬ基準信号が暗示的に導出され得、ｊが（例えば、１の値に）固定であると仮定され得る。
【００６１】
[0068]しかしながら、本開示の態様は、そのようなリンケージを提供および利用するメカニズムを提供する。結果として、本明細書で提示される技法は、ＵＥによる改善された伝送電力制御を達成するのを助け得、それは、システム性能を改善するのを助け、他のＵＥへの干渉を緩和し、および／またはＵＥによる電力を節約するのを助け得る。
【００６２】
[0069]図９は、本開示の態様に係る、伝送電力制御のための例となる動作９００の例を例示する。例えば、動作９００は、ＰＵＳＣＨを送信するときにユーザ機器（ＵＥ）によって実行され得る。
【００６３】
[0070]動作９００は、９０２において、物理アップリンク共有チャネル（ＰＵＳＣＨ）送信のための伝送電力を決定するために少なくとも第１および第２のパラメータを取得することから開始する。第１のパラメータは、ダウンリンク基準信号のインジケーション（例えば、上で説明した式中のパラメータｑｄ）を提供し得、第２のパラメータは、電力制御プロセスのインジケーション（例えば、パラメータｌ）を提供し得る。
【００６４】
[0071]９０４において、ＵＥは、少なくとも第３のパラメータを、この第３のパラメータと少なくとも２つのパラメータとの関係に基づいて、取得する。第３のパラメータは、伝送電力を算出するために使用されるパラメータ値の組合せを取得するために使用される開ループ電力制御インデックス（例えば、パラメータｊ）であり得る。
【００６５】
[0072]９０６において、ＵＥは、第１、第２、および第３のパラメータに基づいて算出された伝送電力でＰＵＳＣＨを送信する。例えば、ひとたび取得されると、パラメータｊは、上の式中のＰO_UE_PUSCH，ｂ，ｆ，ｃ（ｊ）の値を見つけるために使用され、ＰＵＳＣＨのための伝送電力を算出するために使用され得る。
【００６６】
[0073]（例えば、グラントベースのＰＵＳＣＨのための）いくつかのケースでは、ＰＵＳＣＨ電力制御構成におけるパラメータｊは、インデックスｑｄに基づいて決定され得、それは、今度は、対応するＳＲＳリソースインジケータ（ＳＲＩ）値から導出され得る。ＳＲＩ値は、ダウンリンク制御情報（ＤＣＩ）送信におけるＳＲＩフィールドにおいて示され得る。ＳＲＩ値は、構成されたＳＲＳリソースセットから複数のＳＲＳリソースを（ＢＳによって）示すためおよび（ＵＥによって）選択するために使用され得る。ＢＳおよびＵＥは、どのＳＲＳリソースセットのどのＳＲＳリソースがマルチパネルアップリンク送信のために使用されるか、へのＳＲＩフィールドのマッピングまたはテーブルで構成され得る。
【００６７】
[0074]図１０は、本開示の態様に係る、パラメータの例となるマッピングを例示する。例示されるように、ＳＲＩ値からＤＬ基準信号インデックスｑｄの値へのマッピングが存在し得る。さらに例示されるように、開ループ電力制御インデックスｊの値へのｑｄの値のマッピング／リンクも存在し得る。例示されるように、マッピングのうちの1つまたは両方は、少なくともいくつかの一対多マッピングを含み得る。図１０に示されるようなマッピングを使用して、ＵＥは、（例えば、ＤＣＩによってスケジュールされたＰＵＳＣＨ送信のための）伝送電力を実行するために使用される、ＤＣＩ中で提供されるＳＲＩ値に基づいて、パラメータ（ｑｄおよびｊ）を決定し得る。
【００６８】
[0075]上で述べたように、少なくともＣＳＩ獲得のための各ＳＲＳリソースセットについて、ＤＬ基準信号は、（例えば、ＲＲＣ構成を介して）リソースごとに構成され得る。これは、同期信号ブロック（ＳＳＢ）リソースインデックスまたはチャネル状態情報基準信号（ＣＳＩ−ＲＳ）リソースインデックスを、または、好ましくは、ＰＵＳＣＨ電力制御構成におけるｑｄのインデックスを、またはその両方を明示的に提供することによって行われることができる。ＳＳＢ／ＣＳＩ−ＲＳリソースインデックスだけを介する場合、ＵＥは、対応するＰＵＳＣＨ ＰＣ構成におけるＳＳＢインデックス／ＣＳＩ−ＲＳインデックスを一致させ、それに応じてｑｄの値を見つける必要があり得る。これは、例えば、ネットワークが、ＳＲＳリソースセット構成の後かつ対応するＰＵＳＣＨが開始する前に、ＰＵＳＣＨ電力制御構成における対応するＤＬ基準信号を構成する場合に起こり得る。
【００６９】
[0076]いくつかのケースでは、ＰＵＳＣＨ電力制御構成における最大Ｍ個のＤＬ基準信号の各々について、インデックスｊは、各ＤＬ基準信号を対応する開ループＰＣパラメータ（アルファおよびＰ０）とリンクさせるように構成され得る。（ＲＲＣを通した）ＰＵＳＣＨ ＰＣ制御構成における基準信号が変更されるときはいつでも、（例えば、ｑｄに対するｊのおよび／またはｑｄに対するＳＲＩ値の修正／更新されたマッピングを提供することによって）ｊを再構成することができる。
【００７０】
[0077]グラントベースのＵＬ送信について、マルチビームＵＬがサポートされない場合、電力制御プロセス値（例えば、ｌ＝１または２）が（例えば、標準仕様において）構成または固定され得る。いくつかのケースでは、マルチビームＵＬ送信がグラントベースのＵＬ送信のためにサポートされ得る場合、ｌは、以下のオプションを介して示され得る：
ＤＣＩスクランブリングのための異なるＲＮＴＩ、
異なるＤＣＩ ＣＲＣマスキング、
ＤＣＩコンテンツにおける１ビットインジケーション。  
対応するＤＣＩが受信される異なるＣＯＲＥＳＥＴ。  
ＣＯＲＥＳＥＴにおける異なる開始ＲＥ
異なるＤＣＩ監視ウィンドウ（例えば、ＵＬ１はＤＣＩ監視期間１０およびオフセット１に対応し、ＵＬ２はオフセット０でのＤＣＩ監視期間２に対応する）。
【００７１】
[0078]少なくともグラントベースのＰＵＳＣＨについて、基準信号インデックスｑｄの値は、対応するＳＲＩ値（存在する場合）から導出され得る。上で述べたように、ｑｄのこの値は、次に、ＰＵＳＣＨ電力制御構成における開ループ電力制御インデックスｊにリンクされ得る。上で述べたように、Ｍｓｇ３のようなＳＲＳ構成の前に、ＤＬ基準信号が暗示的に導出され得、ｊの値が固定され得る（例えば、１に固定される）。
【００７２】
[0079]本明細書で開示された方法は、説明された方法を達成するための１つまたは複数のステップまたはアクションを備える。方法のステップおよび／またはアクションは、特許請求の範囲から逸脱することなく互いと置き換えられ得る。換言すると、ステップまたはアクションの特定の順序が明記されていない限り、特定のステップおよび／またはアクションの順序および／または使用は、特許請求の範囲から逸脱することなく修正され得る。
【００７３】
[0080]本明細書で使用される場合、項目のリスト「のうちの少なくとも１つ」を参照する表現は、単一のメンバを含む、それらの項目の任意の組合せを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに同一の要素の重複を有する任意の組合せ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃあるいはａ、ｂ、およびｃの任意の他の順序）をカバーすることが意図される。
【００７４】
[0081]本明細書で使用される場合、「決定する」という用語は、幅広いアクションを包含する。例えば、「決定すること」は、算出すること、計算すること、処理すること、導出すること、調査すること、ルックアップすること（例えば、テーブル、データベース、または別のデータ構造をルックアップすること）、確定すること、等を含み得る。また、「決定すること」は、受信すること（例えば、情報を受信すること）、アクセスすること（例えば、メモリ内のデータにアクセスすること）、等を含み得る。また、「決定すること」は、解決すること、選択すること、選ぶこと、確立すること、等を含み得る。
【００７５】
[0082]先の説明は、当業者が本明細書で説明された様々な態様を実施することを可能にするために提供される。これらの態様に対する様々な修正は、当業者には容易に明らかとなり、本明細書において定義された包括的な原理は、他の態様に適用され得る。ゆえに、特許請求の範囲は、本明細書に示された態様に限定されることが意図されたものではなく、特許請求の範囲における文言と一致する全範囲が付与されるべきものであり、ここにおいて、単数形の要素への参照は、別途明記されていない限り、「１つおよび１つのみ」を意味することを意図するのではなく、むしろ「１つまたは複数」を意味する。別途明記されていない限り、「何らかの／いくつかの」という用語は、１つまたは複数を指す。当業者に知られているかまたは後に知られることとなる、本開示全体にわたって説明された様々な態様の要素と構造的および機能的に同等なものはすべて、参照によって本明細書に明確に組み込まれ、特許請求の範囲によって包含されることが意図されている。さらに、本明細書におけるどの開示も、そのような開示が特許請求の範囲に明示的に記載されているかどうかに関わらず、公衆に献呈されることを意図するものではない。請求項のいずれの要素も、その要素が「〜のための手段（means for）」という表現を使用して明確に記載されていない限り、または、方法の請求項のケースでは、その要素が「〜のためのステップ（step for）」という表現を使用して記載されていない限り、米国特許法第１１２条第６項の規定のもとで解釈されるべきではない。
【００７６】
[0083]上で説明した方法の様々な動作は、対応する機能を実行することができる任意の適切な手段によって実行され得る。これら手段は、回路、特定用途向け集積回路（ＡＳＩＣ）、またはプロセッサを含むがそれらに限定されるわけではない、様々なハードウェアおよび／またはソフトウェアコンポーネントおよび／またはモジュールを含み得る。一般に、動作が図において例示されている場合、これらの動作は、同様の番号付けを有する、対応する対をなすミーンズプラスファンクションのコンポーネントを有し得る。例えば、図９に示される様々な動作は、図４に示される様々なプロセッサによって実行され得る。より具体的には、図９の動作９００は、ＵＥ１２０のプロセッサ４６６、４５８、４６４、および／またはコントローラ／プロセッサ４８０のうちの１つまたは複数によって実行され得る。
【００７７】
[0084]例えば、送信するための手段および／または受信するための手段は、基地局１１０の送信プロセッサ４２０、ＴＸ ＭＩＭＯプロセッサ４３０、受信プロセッサ４３８、またはアンテナ４３４、および／または、ユーザ機器１２０の送信プロセッサ４６４、ＴＸ ＭＩＭＯプロセッサ４６６、受信プロセッサ４５８、またはアンテナ４５２のうちの１つまたは複数を備え得る。追加的に、生成するための手段、多重化するための手段、および／または適用するための手段は、基地局１１０のコントローラ／プロセッサ４４０および／またはユーザ機器１２０のコントローラ／プロセッサ４８０のような１つまたは複数のプロセッサを備え得る。
【００７８】
[0085]本開示に関連して説明された実例となる様々な論理ブロック、モジュール、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理、ディスクリートハードウェアコンポーネントまたは本明細書で説明された機能を実行するよう設計されたそれらの任意の組合せでインプリメントまたは実行され得る。汎用プロセッサは、マイクロプロセッサであり得るが、代替的に、プロセッサは、任意の市販のプロセッサ、コントローラ、マイクロコントローラ、またはステートマシンであり得る。プロセッサはまた、コンピューティングデバイスの組合せ、例えば、ＤＳＰと、１つのマイクロプロセッサ、複数のマイクロプロセッサ、ＤＳＰコアに連結した１つまたは複数のマイクロプロセッサ、または任意の他のそのような構成との組合せとしてインプリメントされ得る。
【００７９】
[0086]ハードウェアでインプリメントされる場合、例となるハードウェア構成は、ワイヤレスノードにおいて処理システムを備え得る。処理システムは、バスアーキテクチャを用いてインプリメントされ得る。バスは、処理システムの特定の用途と設計制約全体に依存して、任意の数の相互接続バスおよびブリッジを含み得る。バスは、プロセッサ、機械読取可能な媒体、およびバスインターフェースを含む様々な回路を互いにンクさせ得る。バスインターフェースは、とりわけ、バスを通じて処理システムにネットワークアダプタを接続するために使用され得る。ネットワークアダプタは、ＰＨＹレイヤの信号処理機能をインプリメントするために使用され得る。ユーザ端末１２０（図１参照）のケースでは、ユーザインターフェース（例えば、キーパッド、ディスプレイ、マウス、ジョイスティック、等）もまた、バスに接続され得る。バスはまた、タイミングソース、周辺機器、電圧レギュレータ、電力管理回路、等のような様々な他の回路をリンクさせ得、これらは、当技術分野では周知であるため、これ以上は説明されないであろう。プロセッサは、１つまたは複数の汎用および／または専用プロセッサを用いてインプリメントされ得る。例には、マイクロプロセッサ、マイクロコントローラ、ＤＳＰプロセッサ、およびソフトウェアを実行することができる他の回路が含まれる。当業者は、特定の用途とシステム全体に課された設計制約全体とに依存して処理システムに関する説明された機能性をどのようにインプリメントすることが最善であるかを認識するであろう。
【００８０】
[0087]ソフトウェアによりインプリメントされる場合、これら機能は、コンピュータ読取可能な媒体上の１つまたは複数の命令またはコードとして、記憶または送信され得る。ソフトウェアは、ソフトウェア、ファームウェア、ミドルウェア、マイクロコード、ハードウェア記述言語と呼ばれる場合も、その他の名称で呼ばれる場合も、命令、データ、またはそれらの任意の組合せを意味するものと広く解釈されるものとする。コンピュータ読取可能な媒体は、ある箇所から別の箇所へのコンピュータプログラムの移送を容易にする任意の媒体を含む通信媒体およびコンピュータ記憶媒体の両方を含む。プロセッサは、バスの管理と、機械読取可能な記憶媒体に記憶されているソフトウェアモジュールの実行を含む汎用処理とを担い得る。コンピュータ読取可能な記憶媒体は、プロセッサが記憶媒体から情報を読み取り、記憶媒体に情報を書き込むことができるように、プロセッサに結合され得る。代替的に、記憶媒体は、プロセッサに一体化され得る。例として、機械読取可能な媒体は、伝送回線、データによって変調されるキャリア波、および／またはワイヤレスノードとは別個の、命令が記憶されているコンピュータ読取可能な記憶媒体を含み得、それらすべては、バスインターフェースを通してプロセッサによってアクセスされ得る。代替的にまたは加えて、機械読取可能な媒体、またはその任意の部分は、キャッシュおよび／または汎用レジスタファイルを伴うような場合、プロセッサに一体化され得る。機械読取可能な記憶媒体の例には、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（登録商標）（電気的に消去可能なプログラマブル読取専用メモリ）、レジスタ、磁気ディスク、光ディスク、ハードドライブ、または任意の他の適切な記憶媒体、またはこれらの任意の組合せが含まれ得る。機械読取可能な媒体は、コンピュータプログラム製品で具現化され得る。
【００８１】
[0088]ソフトウェアモジュールは、単一の命令または多数の命令を備え得、数個の異なるコードセグメントにわたって、異なるプログラム間で、および複数の記憶媒体にわたって分散され得る。コンピュータ読取可能な媒体は、いくつかのソフトウェアモジュールを備え得る。ソフトウェアモジュールは、プロセッサのような装置によって実行されると、様々な機能を実行することを処理システムに行わせる命令を含む。これらのソフトウェアモジュールは、送信モジュールおよび受信モジュールを含み得る。各ソフトウェアモジュールは、単一の記憶デバイスに存在し得るか、または複数の記憶デバイスにわたって分散され得る。例として、ソフトウェアモジュールは、トリガイベントが発生すると、ハードドライブからＲＡＭにロードされ得る。ソフトウェアモジュール実行中、プロセッサは、命令のうちのいくらかをキャッシュへとロードして、アクセススピードを上げ得る。次に、１つまたは複数のキャッシュラインが、プロセッサによる実行のために、汎用レジスタファイルにロードされ得る。以下においてソフトウェアモジュールの機能性を参照する場合、そのような機能性は、ソフトウェアモジュールからの命令を実行するときにプロセッサによってインプリメントされることは理解されるであろう。
【００８２】
[0089]また、いずれの接続も、厳密には、コンピュータ読取可能な媒体と称される。例えば、ソフトウェアが、ウェブサイト、サーバ、または他のリモートソースから、同軸ケーブル、光ファイバーケーブル、ツイストペア、デジタル加入者回線（ＤＳＬ）、または赤外線（ＩＲ）、電波、およびマイクロ波のようなワイヤレス技術を使用して送信される場合、同軸ケーブル、光ファイバーケーブル、ツイストペア、ＤＳＬ、または赤外線、電波、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここで、ディスク（disk）は、通常磁気的にデータを再生し、ディスク（disc）は、レーザーを用いて光学的にデータを再生する。ゆえに、いくつかの態様では、コンピュータ読取可能な媒体は、非一時的なコンピュータ読取可能な媒体（例えば、有形媒体）を備え得る。加えて、他の態様では、コンピュータ読取可能な媒体は、一時的なコンピュータ読取可能な媒体（例えば、信号）を備え得る。上記の組合せもまた、コンピュータ読取可能な媒体の範囲内に含まれるべきである。
【００８３】
[0090]ゆえに、特定の態様は、本明細書で提示された動作を実行するためのコンピュータプログラム製品を備え得る。例えば、そのようなコンピュータプログラム製品は、命令が記憶（および／または符号化）されているコンピュータ読取可能な媒体を備え得、これら命令は、本明細書で説明された動作を実行するために１つまたは複数のプロセッサによって実行可能である。
【００８４】
[0091]さらに、モジュールおよび／または本明細書で説明された方法および技法を実行するための他の適切な手段が、適宜、ユーザ端末および／または基地局によってダウンロードされ得ること、および／または、それ以外の方法で取得され得ることは認識されるべきである。例えば、このようなデバイスは、本明細書で説明された方法を実行するための手段の移送を容易にするためにサーバに結合され得る。代替的に、本明細書で説明された様々な方法は、ユーザ端末および／または基地局が、デバイスへの記憶手段の結合または提供により様々な方法を取得することができるように、記憶手段（例えば、ＲＡＭ、ＲＯＭ、コンパクトディスク（ＣＤ）またはフロッピーディスクのような物理的な記憶媒体、等）を介して提供され得る。さらに、本明細書で説明された方法および技法をデバイスに提供するための任意の他の適切な技法が利用され得る。
【００８５】
[0092]特許請求の範囲が上に例示されたとおりの構成およびコンポーネントに限定されないことは理解されるべきである。様々な修正、変更、および変形が、特許請求の範囲から逸脱することなく、上で説明した方法および装置の配列、動作、および詳細に対してなされ得る。
【図１】
2021511742.tif 000004
【図２】
2021511742.tif 000005
【図３】
2021511742.tif 000006
【図４】
2021511742.tif 000007
【図５】
2021511742.tif 000008
【図６】
2021511742.tif 000009
【図７】
2021511742.tif 000010
【図８】
2021511742.tif 000011
【図９】
2021511742.tif 000012
【図１０】
2021511742.tif 000013
【国際調査報告】
2021511742.tif 000014
2021511742.tif 000015